(57)【要約】【課題】各種の使用状態において操作性を向上させることができ、嵩張らず、分別廃棄する必要がない流動物投与用袋状容器を提供する。【解決手段】一対の側壁シートＡと、底壁シートＣとを備え、側壁シートＡの周縁部と、底壁シートＣの周縁部とが、熱溶着されてスタンディング型の袋状にされている。側壁シートＡの上辺の斜めにカットされた角部に、チャックシール３０が取付けられて液体注入口３５が形成されており、液体注入口とは反対側の側辺には、ノズル１０が取付けられている。液体注入口側の側辺には、ノズルに対して略対向する位置に第１吊下げ孔２０が形成されており、更にこの第１吊下げ孔よりも液体注入口に近接した位置に第２吊下げ孔２１が形成されており、前記ノズルが取付けられた側辺には第３吊下げ孔２２が形成されている。また、底壁シート配置部を下にして見たとき、側壁シートの横幅と高さとの比が、１：１〜１：１．８とされている。【選択図】図１
2007330495.tif 000002
【特許請求の範囲】
【請求項１】
概略四角形状をなし、上辺の一方の角部が斜めにカットされた一対の側壁シートと、２つ折りにして稜線を上方に向けて、前記一対の側壁シートの底辺に沿ってそれらの間に挿入された底壁シートとを備え、側壁シートの周縁部と、底壁シートの周縁部とが、熱溶着されてスタンディング型の袋状にされており、上辺の斜めにカットされた角部には、チャックシールが取付けられて液体注入口が形成されており、一対の側壁シートの前記液体注入口とは反対側の側辺には、ノズルがその基部を一対の側壁シートに挟みこまれて熱溶着されて取付けられており、前記液体注入口側の側辺には、前記ノズルに対して略対向する位置に第１吊下げ孔が形成されており、更にこの第１吊下げ孔よりも前記液体注入口に近接した位置に第２吊下げ孔が形成されており、前記ノズルが取付けられた側辺には第３吊下げ孔が形成されており、更に、内容物を入れずに折り畳んだ状態で、前記底壁シート配置部を下にして見たとき、前記側壁シートの横幅と高さとの比が、１：１〜１：１．８とされていることを特徴とする流動物投与用袋状容器。
【請求項２】
前記一対の側壁シートの前記ノズルが取付けられた側辺は、溶着部の内周が、前記ノズル取付け部に向けて、次第に外方に突出するように形成されている請求項１記載の流動物投与用袋状容器。
【請求項３】
前記チャックシールが取付けられた液体注入口の幅が５０〜１２０ｍｍとされている請求項１又は２に記載の流動物投与用袋状容器。
【発明の詳細な説明】
【技術分野】
【０００１】
本発明は、たとえば経腸栄養剤や輸液を収容して人体等に投与する袋状容器に関し、流動物の投与、流動物投与前の水分等での希釈、流動物投与後に水分等を注入でき、吊り下げて内容物の投与を可能とする流動物投与用袋状容器に関する。
【背景技術】
【０００２】
経管経腸栄養剤や経管経腸流動食の流動物は、缶、瓶、パウチ、紙容器などの包装容器に収容されているが、予め専用の容器に移し変え、その専用容器にチューブを接続し内容物が投与される場合がある。この場合は衛生管理面での問題もあるが容器の洗浄、廃棄、または専用容器の洗浄等、利便性という面では難点があった。それに対し、近年、注出口を有した容器が開発され、そのまま又はアダプタを介して経管用チューブとの接続が可能となり、専用容器への移し換えの手間を省ける利便性の高い容器が開発されている。
【０００３】
例えば、下記特許文献１には、複数のフィルム片の周辺部をシールしてなり、１辺に注入口部材を装着し、該注入口部材とは別に注出口部材を装着してなる包装袋であって、前記注入口部材が、天面部、および天面部周縁から垂下し、内面にメネジを備える外周部からなるキャップと、外面にオネジを備え、注入口を構成する注入口部とからなり、キャップ内面には、注入口部における先端部の内周面側および外周面側に密着あるいは嵌合する環状突起部を有することを特徴とする包装袋が開示されており、２個の吊下げ手段がそれぞれ注入口部材と対抗する位置及び注出口部材と対抗する位置に設けられていることが記載されている。
【０００４】
また、下記特許文献２には、表面、裏面及び底面を形成する複数の多角形状のプラスチックフィルムの周縁部をシールし、該周縁部の一部に内容物注出具が装着された有底の注出具付きパウチであって、該内容物注出具と離間したパウチ周縁部に把持部が形成され、該把持部内の外端シール部からパウチ内方に離間した箇所に、一方の面に直線状の凸部が形成され、それと対向する面に上記凸部と係合する凹部が形成された開閉自在のプラスチック製の線状ファスナーが該把持部を横断して形成されていることを特徴とする有底の注出具付きパウチが開示されている。
【０００５】
更に、下記特許文献３には、可撓性を有する一対のシート片とガセット片とにより吊り下げ可能な容器本体が形成され、前記シート片の下縁部には被充填物を注ぎ出すための注出具が設けられ、しかも、前記ガセット片は容器本体の内側に折り込まれるように、シート片の一方の側縁部に設けられ、他方の側縁部はガセット片が設けられていないことを特徴とする袋状容器が開示されており、シート片の上縁部及び下縁部に吊下手段が設けられることが記載されている。
【特許文献１】特開２００３−３２７２６３
【特許文献２】特開２００５−２０６２２１
【特許文献３】特開２０００−６９９９
【発明の開示】
【発明が解決しようとする課題】
【０００６】
しかしながら、上記特許文献１では、注入口部材が、キャップと注入口部とからなるので、袋体が嵩張り、分別廃棄する必要が生じる可能性があった。
【０００７】
また、上記特許文献２では、底部を有しスタンディング可能であるが、内容物を希釈する際や内容物投与後に水分等を注入する際に、縦幅よりも横幅が大きいため、スタンディングさせた状態では水分等を多く注入することができないという問題があった。
【０００８】
更に、上記特許文献３では、袋状容器に複数の吊下孔を形成して、使い勝手を向上させているが、スタンディングさせた状態では充填具が横側になるため、常に吊り下げ孔を使用して吊り下げた状態で水分等を注入する必要があった。
【０００９】
このように、上記いずれの従来技術においても、各種の使用状態における使い勝手の点で、未だ十分に満足できるものとはいえなかった。
【００１０】
したがって、本発明の目的は、経管経腸栄養剤や経管経腸流動食等の投与を簡便に行え、内容物の希釈や内容物投与後に水分等を注入する際においても、従来のものよりも簡便に注入作業ができ、注出、注入の双方が容易に行え、利便性のよい流動物投与用袋状容器を提供することにある。
【課題を解決するための手段】
【００１１】
上記課題を解決するため、本発明の流動物投与用袋状容器は、概略四角形状をなし、上辺の一方の角部が斜めにカットされた一対の側壁シートと、２つ折りにして稜線を上方に向けて、前記一対の側壁シートの底辺に沿ってそれらの間に挿入された底壁シートとを備え、側壁シートの周縁部と、底壁シートの周縁部とが、熱溶着されてスタンディング型の袋状にされており、上辺の斜めにカットされた角部には、チャックシールが取付けられて液体注入口が形成されており、一対の側壁シートの前記液体注入口とは反対側の側辺には、ノズルがその基部を一対の側壁シートに挟みこまれて熱溶着されて取付けられており、前記液体注入口側の側辺には、前記ノズルに対して略対向する位置に第１吊下げ孔が形成されており、更にこの第１吊下げ孔よりも前記液体注入口に近接した位置に第２吊下げ孔が形成されており、前記ノズルが取付けられた側辺には第３吊下げ孔が形成されており、更に、内容物を入れずに折り畳んだ状態で、前記底壁シート配置部を下にして見たとき、前記側壁シートの横幅と高さとの比が、１：１〜１：１．８とされていることを特徴とする。
【００１２】
本発明によれば、チャックシールを有する液体注入口部から、内容物の希釈水や内容物投与後に更に水分を補給するための水分等を注入する際に、スタンディング状態で注入することができると共に、第２吊下げ孔で吊下げ支持させた状態で注入することもできる。この場合、第２吊下げ孔は、液体注入口部に近接して設けられているので、液体注入口を上方に向けて注入しやすくすることができる。また、側壁シートの横幅と高さとの比が、１：１〜１：１．８とされているので、スタンディング状態で注入しても、吊下げ状態で注入しても、袋状容器内に充填できる液体量を多くすることができる。更に、ノズルに投与用チューブを接続する際には、第３吊下げ孔で吊下げ支持させることにより、その操作をやりやすくすることができる。更にまた、上辺の斜めにカットされた角部に、チャックシールを取付けて液体注入口を形成したので、液体注入口の開口部を大きくすることができ、嵩張らず、また、分別廃棄の必要がない。
【００１３】
また、前記一対の側壁シートの前記ノズルが取付けられた側辺は、溶着部の内周縁部が、前記ノズル取付け部に向けて、次第に外方に突出するように形成されていることが好ましい。これによれば、ノズル取付け部に向かって内周縁部が外方に突出するように傾斜しているので、流動物の液だまりが出来ず、容器内に流動物が残ることがなく、最後まで流動物を滴下することができる。
【００１４】
更に、前記チャックシールが取付けられた液体注入口の幅が５０〜１２０ｍｍとされていることが好ましい。これによれば、チャックシールを開けて液体注入口から飲料水等を注入する際に、液体注入口の幅が５０〜１２０ｍｍと大きいので、注入する際に注入液をこぼす虞れがなく、液体注入口より飲料水等を効率的に注入することができる。
【発明の効果】
【００１５】
本発明によれば、内容物の希釈水や内容物投与後に更に水分を補給するための水分等を注入する際や、投与用チューブをノズルに装着する際など、各種の使用状態において操作性を向上させることができ、嵩張らず、分別廃棄の必要がない流動物投与用袋状容器を提供することができる。
【発明を実施するための最良の形態】
【００１６】
以下に、図面を参照して本発明の実施形態を説明する。
【００１７】
図１〜３に示すように、この流動物投与用袋状容器（以下、「袋状容器」とする）１は、多角形状である一対の側壁シートＡ、Ｂと、２つ折りにして稜線を上方に向けて、前記一対の側壁シートの底辺に沿ってそれらの間に挿入された底壁シートＣとを備え、側壁シートＡ、Ｂの周縁部と、底壁シートＣの周縁部とが、熱溶着されてスタンディング型の袋状に形成されている。すなわち、一対の側壁シートＡ，Ｂの上辺と、両側辺の底壁シートＣに接しない部分は、それぞれの周縁を相互に熱溶着されており、側壁シートＡ、Ｂと、２つ折りされた底壁シートＣとが接する部分は、側壁シートＡ、Ｂと底壁シートＣとの周縁部が熱溶着されている。
【００１８】
なお、側壁シートＡ、Ｂと底壁シートＣとの溶着部の内周縁部３は、下方に膨らんだ円弧状をなしている。このため、袋状容器１に流動物５０を充填させた場合には、図３に示すように、底壁シートＣの折込みが開いた状態となる。したがって、底壁シートＣが下方となるように袋状容器１を配置すると、側壁シートＡ、Ｂと底壁シートＣとが溶着してできた下縁部２５ａ、２５ｂが脚部となり、袋状容器１を立たせることができるようになっている。
【００１９】
側壁シートＡ、Ｂ及び底壁シートＣは、可撓性を有するプラスチックフィルムで形成されており、流動物の投与状況を外から確認できるように透明であることが好ましく、単層のフィルムでもよいが、通常は２層以上の複合フィルムが用いられる。より具体的には、酸素や水蒸気を透過しない性質のガスバリア性フィルム（例：シリカ蒸着フィルム、アルミラミネートフィルム）や、ナイロン等の耐熱性及び剛性に優れたフィルムや、ポリエチレン、ポリプロピレン等の熱可塑性フィルムとの複合フィルムからなることが好ましく、最内層は、溶着可能な熱可塑性フィルムからなることが好ましい。具体例としては、外層を酸化アルミニウムや無機ケイ素などの薄膜を蒸着したポリエチレンテレフタレート、中間層をナイロン、内層をポリエチレン又はポリプロピレンで形成した複合フィルムが好ましく採用される。フィルムのシール方法は、通常はヒートシール方法であるが、超音波によるシール方法でもよい。本発明における熱溶着とは、ヒートシールに限らず超音波シールも含めた意味である。
【００２０】
また、底壁シートＣを下にした状態において、側壁シートＡ，Ｂの一側辺と上辺との角部が、それぞれの辺に対して４５度の角度で斜めにカットされており、この斜辺部は、その外周縁部が前述したように熱溶着されてシール蓋部３２をなすと共に、該シール蓋部３２の内側に、それと平行にチャックシール３０が取付けられ、液体注入口３５が構成されている。なお、上記斜辺部の側辺及び上辺に対する傾斜角は、特に限定されないが、４５度±２５度程度にすることが好ましく、より好ましくは４５度±１５度である。
【００２１】
上記チャックシール３０は、側壁シートＡ、Ｂの一方の内面に線状の凸部を形成し、側壁シートＡ、Ｂの他方の内面に上記凸部と係合する線状の凹部を形成してなる公知のプラスチックファスナーで構成されている。線状の凸部及び凹部は、それぞれ対応する側壁シートＡ，Ｂの内面に、互いに整合するように溶着して取付けられている。したがって、側壁シートＡ，Ｂを重ね合わせて外側から押圧すれば、凸部と凹部が互いに係合して液体注入口３５を封止できるようになっている。チャックシール３０が取付けられた液体注入口３５の幅は、５０〜１２０ｍｍであることが好ましく、６０〜９０ｍｍであることがより好ましい。
【００２２】
また、側壁シートＡ、Ｂの一側辺及び上辺には、シール蓋部３２とチャックシール３０との間に位置して、Ｖ字状の切り込み３１が形成されている。左右の切り込み３１を結ぶ方向に、いずれかの切り込み３１から手で引き裂くことによって、ハサミなどを使用せずに、シール蓋部３２とチャックシール３０との間の部分を切断することができる。それによって、チャックシール３０を開閉可能な液体注入口３５として利用することができるようになっている。なお、切り込み３１は、カッターなどで切り込みを入れただけのものでもよく、特に形状を問わない。
【００２３】
一方、側壁シートＡ，Ｂの上記液体注入口３５が設けられた側辺と対向する側辺には、ノズル１０の基部が挟み込まれて熱溶着によって取付けられている。そして、側壁シートのＡ，Ｂの上記ノズル１０の取付け部においては、熱溶着された内周縁部４が、前記ノズル取付け部に向けて、次第に外方に突出するように、この実施形態の場合はテーパ状に形成されている。なお、別の形態として図９のように、ノズル１０に向かって、熱溶着された内周縁部４ａが円弧状に傾斜したものを使用してもよい。
【００２４】
ノズル１０は、チューブ６１を接続して流動物を外部へ注出するためのものである。前記ノズル１０としては、硬質のプラスチックから成形されているものを使用する。このノズル１０のノズル取付け部１１は、ノズル１０の軸方向から見て舟形状をなし、袋状容器１の側辺の中間部に側壁シートＡ，Ｂ間に融着された状態で装着されている。
【００２５】
図４（ａ）、（ｂ）に示すように、ノズル先端部の形状は大径部１２と小径部１３の２段階の円筒状になっており、連結するチューブ６１の外径に合せて適宜選択して装着できるようになっている。また、大径部１２及び小径部１３にはチューブを抜けにくくするために、先端部外周に凹凸形状を形成するなどの適宜任意に工夫が施されていてもよい。
【００２６】
小径部１３の先端には、摘み部１４が一体に形成されて、ノズル１０を閉塞している。更に、ノズル１０の先端部は、キャップ１５内部に嵌合されており、前記摘み部１４がキャップ１５内周に嵌入されている。そして、キャップ１５をひねって、小径部１３から摘み部１４を折り取ることにより、小径部１３の先端に注出口１６が形成されるようになっている。
【００２７】
更に、この袋状容器１には、図６〜８に示されるフック形状の吊下げ具６０で引き掛けるための複数の吊下げ孔が形成されている。この実施形態の場合、吊下げ孔は３つあり、そのうちの第１の吊下げ孔２０は、液体注入口３５側の側辺の、ノズル１０に対して略対向する位置に形成されており、図７に示すように流動物５０を注出する際に用いられる。また、第２の吊下げ孔２１は、上記側辺の第１吊下げ孔よりも液体注入口３５に近接した位置に形成されており、図８に示すように流動物５０を水分等の補充液４１により希釈する際や、流動物注出後に水分等の補充液４１を注入する際に用いられる。更に、第３の吊下げ孔２２は、ノズル１０が取付けられた側辺の下方に形成されており、図６に示すように流動物投与前にノズル１０にチューブ６１を取付ける際に用いられる。
【００２８】
また、この袋状容器１は、内容物を入れずに折り畳んだ状態で、前記底壁シートＣの配置部を下にして見たとき、前記側壁シートＡ、Ｂの横幅と高さとの比が、１：１〜１：１．８であることが好ましく、１：１．２〜１：１．６であることがより好ましい。
【００２９】
なお、ノズル１０に接続されるチューブ６１には、滴下量を調整する流量制御弁等（図示せず）を設けてもよい。
【００３０】
袋状容器１の製造方法は、特に限定されないが、側壁シートＡ，Ｂの一方の側辺にノズル１０を挟み込んだ状態で配置し、液体注入口３５の内周にはシールチャックを封止状態で予め溶着によって取付け、上辺３３以外の各シートＡ，Ｂ，Ｃの周縁を熱溶着して、ノズル１０が一方の側辺に取付けられた袋状容器とする。
【００３１】
次に、シールされていない上辺３３から、投与すべき流動物、又は水等で希釈することによって該流動物となる原料を充填し、袋状容器１の上辺３３を熱溶着して、内容物を完全に封止する。なお、側壁シートＡ，Ｂ及び底壁シートＣに予め吊下げ孔２０、２１、２２を形成していない場合は、各シートを熱溶着した後に孔開け加工を行う。
【００３２】
そして、流動物又はその原料が充填された袋状容器１は、例えばレトルト殺菌槽にて高温殺菌処理された後、製品として保管、流通される。
【００３３】
次に、この袋状容器１の使用方法について説明する。
【００３４】
まず、袋状容器１に、水等の補充液４１で希釈することによって流動物となる原料が充填されている場合には、側壁シートＡ、Ｂの一側辺又は上辺に設けた切り込み３１を手で引き裂くことによって、シール蓋部３２とチャックシール３０との間の部分を切断する。そして、チャックシール３０を開いて液体注入口３５を開口させ、図５に示すように、この開口部から容器４０に充填された水等の補充液４１を注入し、所定濃度の流動物を調製する。次いで、チャックシール３０を閉じて内容物を再び封入する。なお、袋状容器１に、そのままで投与可能な流動物が充填されている場合には、この操作は必要ない。
【００３５】
次いで、図６に示すように、袋状容器１の第３吊り下げ孔２２に吊り下げ具６０を引き掛けて、袋状容器１を吊り下げる。そして、図４（ａ）に示すようにノズル取付け部１１を把持した状態で、キャップ１５と共に摘み部１４を周方向にねじり、ノズル１０の注出口１６を塞いでいる摘み部１４をノズル先端からキャップ１５と共に取り外す。こうしてノズル１０の先端に注出口１６を開口させた後、該ノズル先端にチューブ６１の一端を接続する。また、図示していないが、ノズル１０と接続していないチューブ６１の他端は投与すべき箇所に接続する。すなわち、チューブ６１の他端を、鼻を通して胃、十二指腸等まで挿入するか、腹部に形成した瘻孔を通して胃や腸に挿入し、チューブ６１を介して流動物を投与できるようにする。
【００３６】
次に、図７に示すようにノズル先端部が下方を向くように袋状容器１を上下反転させ、第１吊り下げ孔２０に吊り下げ具６０を引き掛けて、袋状容器を吊り下げる。そして、滴下調節器等により流動物の滴下量を調節し、流動物５０の滴下を開始する。これら一連の作業により、ノズルから流動物を漏らすことなく、容易に投与箇所に流動物５０を適切に投与することができる。また、側壁シートのＡ，Ｂの上記ノズル１０の取付け部においては、熱溶着された内周縁部４が、前記ノズル取付け部に向けて、次第に外方に突出するように形成されているので、液溜まりを生じることなく、流動物５０をできるだけ残さずに投与することができる。
【００３７】
こうして、流動物５０の投与が終了した後、更に、残存する流動物に水等の補充液を加えて洗い流すように投与したり、水分補給のために飲料水等を袋状容器１に充填して、投与を継続したい場合には、図８に示すように、吊り下げ具６０を袋状容器１の第２吊り下げ孔２１に引き掛けて袋状容器１を吊り下げる。その結果、袋状容器１の液体注入口３５がより上方を向くので、チャックシール３０を開いて、容器４０の補充液４１を注入する。注入後は、チャックシール３０の凹部と凸部を重ね合わせて外側から押圧し液体注入口３５を封止し、再度流動物５０の滴下を行う。上記のように、第２吊り下げ孔２１で吊下げ支持することによって、液体注入口３５がより上方を向くので、飲料水等を注入しやすくなり、かつ、袋状容器１内により多量の飲料水等を充填することができる。
【００３８】
なお、上記飲料水等の注入は、図５に示すように、袋状容器１をスタンディング状態にして行うことも可能である。
【００３９】
本発明では、図５に示すように袋状容器１の底部を下にしたスタンディング状態でも、図８のように袋状容器１の第２の吊り下げ孔２１を利用して吊り下げた状態でも、チャックシール３０を開閉することで補充液４１の注入が行いやすい。また、側壁シートＡ、Ｂの横幅と高さとの比を１：１〜１：１．８としたことにより、上記いずれの状態でも、液体注入口３５より下方に位置する袋状容器１の容積を大きくとって、十分な量の液体を充填することが可能となる。
【００４０】
なお、上記使用方法では、流動物として、経口経腸栄養剤などを用いる場合について説明したが、本発明の袋状容器は、例えば静脈中に薬剤等を投与する輸液用の投与用袋状容器としても適用でき、その他の流動物を収容してもよい。
【産業上の利用可能性】
【００４１】
本発明の袋状容器は、例えば経口経腸栄養剤などの流動物を投与するための容器として利用することができる。
【図面の簡単な説明】
【００４２】
【図１】本発明の一実施形態による流動物投与用袋状容器のスタンディング状態での斜視図である。
【図２】同袋状容器の正面図である。
【図３】図２のIII―III矢示線に沿った断面図である。
【図４】同袋状容器のノズルを示し、（ａ）はキャップを閉じた状態、（ｂ）はキャップを開いた状態の説明図である。
【図５】同流動物投与用袋状容器にスタンディング状態で補充液を注入している状態を示す説明図である。
【図６】同流動物投与用袋状容器を吊り下げ状態でチューブ取付けをしている状態を示す説明図である。
【図７】同流動物投与用袋状容器を用いて流動物を投与している状態を示す説明図である。
【図８】同流動物投与用袋状容器を吊下げ状態で補充液を注入している状態を示す説明図である。
【図９】本発明の他の実施形態を示す正面図である。
【符号の説明】
【００４３】
１  流動物投与用袋状容器
３  側壁シートと底壁シートとの溶着部の内周縁部
４  側壁シートの溶着部の内周縁部
１０  ノズル
１１  ノズル取付け部
１２  大径部
１３  小径部
１４  摘み部
１５  キャップ
２０  第１吊下げ孔
２１  第２吊下げ孔
２２  第３吊下げ孔
２５ａ、２５ｂ  下縁部
３０  チャックシール
３１  切り込み
３２  シール蓋部
３５  液体注入口
４０  容器
４１  補充液
５０  流動物
６０  吊り下げ具
６１  チューブ
Ａ、Ｂ  側壁シート
Ｃ  底壁シート
【図１】
2007330495.tif 000003
【図２】
2007330495.tif 000004
【図３】
2007330495.tif 000005
【図４】
2007330495.tif 000006
【図５】
2007330495.tif 000007
【図６】
2007330495.tif 000008
【図７】
2007330495.tif 000009
【図８】
2007330495.tif 000010
【図９】
2007330495.tif 000011